(57)【要約】【課題】特定の色に関して色再現誤差の補正精度を向上させることができ、しかもその精度向上を容易かつ迅速にできるようにする。【解決手段】色変換プロファイルを作成するプロファイル作成手段２と、色再現誤差の修正対象となる色を注目色として指定するための注目色指定手段６と、指定された注目色についてのデバイス非依存のデータ値と当該注目色について前記色変換プロファイルを用いた色変換を経た後にデバイス非依存の色空間へ変換したデータ値との差分情報を算出する差分情報算出手段７と、算出した差分情報に基づいてカラーチャートの測色値を補正して当該補正後の測色値により前記プロファイル作成手段２に色変換プロファイルを再作成させる補正手段８と、を備えて画像処理装置を構成する。【選択図】図１
2007221182.tif 000002
【特許請求の範囲】
【請求項１】
複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成手段と、
前記ターゲットデバイスが出力するカラー画像と前記出力デバイスが出力するカラー画像との間における色再現誤差の修正対象となる色を注目色として指定するための注目色指定手段と、
前記注目色指定手段によって指定された注目色についてデバイスに依存しない色空間へ変換したデータ値と、当該注目色について前記プロファイル作成手段が作成した色変換プロファイルを用いた色変換を経た後にデバイスに依存しない色空間へ変換したデータ値との差分情報を算出する差分情報算出手段と、
前記差分情報算出手段が算出した差分情報に基づいて前記ターゲットデバイスにカラーチャートを出力させて得られた測色値を補正し、当該補正後の測色値により前記プロファイル作成手段に色変換プロファイルを再作成させる補正手段と
を備えることを特徴とする画像処理装置。
【請求項２】
前記注目色または当該注目色を前記色変換プロファイルで色変換した後のものについて、これをデバイスに依存しない色空間への変換を行うのにあたり、当該変換を予め設定されている色変換テーブルまたは色変換演算式を用いて行う
ことを特徴とする請求項１記載の画像処理装置。
【請求項３】
前記注目色または当該注目色を前記色変換プロファイルで色変換した後のものについて、これをデバイスに依存しない色空間への変換を行うのにあたり、当該変換結果を前記注目色についてのデバイス出力結果に対する測色によって得る
ことを特徴とする請求項１記載の画像処理装置。
【請求項４】
前記注目色または当該注目色を前記色変換プロファイルで色変換した後のものについて、これをデバイスに依存しない色空間への変換を行うのにあたり、前記注目色に近似する色を前記カラーチャートの中から選択し、選択した近似色に対応する変換結果を前記注目色に関する変換結果とする
ことを特徴とする請求項１、２または３記載の画像処理装置。
【請求項５】
前記注目色指定手段は、前記カラー画像を表示出力する機能と、当該機能による表示画像上で注目色となる色の画素または領域を特定する機能とを有してなる
ことを特徴とする請求項１、２、３または４記載の画像処理装置。
【請求項６】
前記注目色指定手段は、特定された画素または領域に複数の色が含まれる場合に、当該複数の色の平均値、中央値または最頻値のいずれかを注目色として用いる
ことを特徴とする請求項５記載の画像処理装置。
【請求項７】
前記補正手段は、前記差分情報算出手段が算出した差分情報に対し、当該差分情報を構成する成分別に異なる重み付けを行い、当該重み付け後の差分情報に基づいて測色値の補正を行う
ことを特徴とする請求項１〜６のいずれか１項に記載の画像処理装置。
【請求項８】
前記補正手段は、測色値の補正を行うのにあたり、前記注目色からの色空間上での距離に応じて、当該補正を行う補正量を可変させる
ことを特徴とする請求項１〜７のいずれか１項に記載の画像処理装置。
【請求項９】
前記補正手段は、測色値の補正を行うのにあたり、当該補正の対象を、前記注目色を含む色空間上での所定範囲に限定する
ことを特徴とする請求項１〜８のいずれか１項に記載の画像処理装置。
【請求項１０】
コンピュータを、
複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成手段と、
前記ターゲットデバイスが出力するカラー画像と前記出力デバイスが出力するカラー画像との間における色再現誤差の修正対象となる色を注目色として指定するための注目色指定手段と、
前記注目色指定手段によって指定された注目色についてデバイスに依存しない色空間へ変換したデータ値と、当該注目色について前記プロファイル作成手段が作成した色変換プロファイルを用いた色変換を経た後にデバイスに依存しない色空間へ変換したデータ値との差分情報を算出する差分情報算出手段と、
前記差分情報算出手段が算出した差分情報に基づいて前記ターゲットデバイスにカラーチャートを出力させて得られた測色値を補正し、当該補正後の測色値により前記プロファイル作成手段に色変換プロファイルを再作成させる補正手段
として機能させることを特徴とする画像処理プログラム。
【請求項１１】
複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成ステップと、
前記ターゲットデバイスが出力するカラー画像と前記出力デバイスが出力するカラー画像との間における色再現誤差の修正対象となる色を注目色として指定する注目色指定ステップと、
前記注目色指定ステップで指定された注目色についてデバイスに依存しない色空間へ変換したデータ値と、当該注目色について前記プロファイル作成ステップで作成した色変換プロファイルを用いた色変換を経た後にデバイスに依存しない色空間へ変換したデータ値との差分情報を算出する差分情報算出ステップと、
前記差分情報算出ステップで算出した差分情報に基づいて前記ターゲットデバイスにカラーチャートを出力させて得られた測色値を補正し、当該補正後の測色値により前記プロファイル作成ステップで作成した色変換プロファイルの再作成を行わせる補正ステップと
を備えることを特徴とする画像処理方法。
【発明の詳細な説明】
【技術分野】
【０００１】
本発明は、カラー画像の色変換を実施可能にするための画像処理装置、画像処理プログラムおよび画像処理方法に関し、特にカラープルーフシステムに適用して好適な画像処理装置、画像処理プログラムおよび画像処理方法に関する。
【背景技術】
【０００２】
近年、カラー印刷業界においては、印刷本機（例えば、最終印刷物を作成するための輪転印刷機）によって印刷物を作成する前工程で、簡易型のカラープリンタ（例えば、電子写真プリンタやインクジェットプリンタ）を用いて印刷色をシミュレートした校正刷りを出力し、これにより色校正を実施する、いわゆるカラープルーフシステムが用いられている。
【０００３】
このようなカラープルーフシステムを用いて色校正を実施するには、印刷本機で再現できる色を、カラープリンタでも再現できるようにする必要がある。ただし、印刷本機とカラープリンタとは、それぞれが異なる印刷出力デバイスであり、それぞれにおけるデバイス依存の色特性も異なる。したがって、色校正の実施に際して、カラープルーフシステムでは、複数のカラーパッチで構成されるカラーチャートについて印刷本機で出力した結果を測色することで得られた測色データとそれに対応するＣＭＹＫデータの組み合わせと、カラープリンタで出力したカラーチャートの測色データとそれに対応するＣＭＹＫデータの組み合わせとを用いる。そして、印刷本機についての測色データとＣＭＹＫデータとの組み合わせから印刷色プロファイルを、またカラープリンタについての測色データとＣＭＹＫデータとの組み合わせからプリンタプロファイルを作成し、色校正に用いる印刷色に依存するＣＭＹＫデータを、印刷色プロファイルによってデバイスに依存しない色空間、例えばＣＩＥ（Commission International de I’Eclairage）で規定されるＸＹＺ色空間やＬ＊ａ＊ｂ＊色空間等に変換した後、プリンタプロファイルを用いてカラープリンタに依存するＣＭＹＫデータに変換する。このようにすることで、印刷本機での印刷色に近い色校正サンプルをカラープリンタで得ることができるので、そのカラープリンタを用いて印刷本機での印刷色のシミュレーションが可能になり、印刷本機による印刷の前に簡易色校正が可能となるのである。
【０００４】
ところで、このようなカラープリンタによる印刷色のシミュレーションを行う際には、例えば測色データを得るための測色機の精度に起因する測色機誤差やカラープリンタの経時変動等の要因により、印刷本機での印刷結果（ターゲットサンプル）における印刷色と、カラープリンタでの印刷結果（校正サンプル）における印刷色との間で、色再現における誤差が生じてしまうことがある。このことから、カラープルーフシステムについては、印刷色プロファイルを作成するためのカラーチャートを用いて色再現における誤差を測定し、測定された差分を用いて印刷色プロファイルを再作成することで、色再現における誤差を低減することが提案されている（例えば、特許文献１参照）。
【０００５】
【特許文献１】特開２００４−１５３６６７号公報
【発明の開示】
【発明が解決しようとする課題】
【０００６】
しかしながら、上述した従来技術では、ターゲットサンプルと校正サンプルに対する平均の色再現誤差に関しては良好な結果が得られるが、特定の色に関しては必ずしも良好な結果が得られるとは限らない。例えば商品撮影した画像を取り扱っている場合においては、感度の高いグレーや肌色といった、ある特定の色に関して、より高い精度が求められることがある。そのような場合には、上述した従来技術による平均の色再現誤差の補正では対応できないことから、例えばカラープリンタ側でのユーザ調整カーブを用いた手動の調整を行うことが考えられる。ところが、これには熟練することが必要であり、また多大な時間が必要とされる。つまり、特定の色に関して色再現誤差補正の精度向上を図ろうとすると、そのための作業が繁雑で多くの時間を要してしまい、またそのための作業に熟練を必要としてしまう。
【０００７】
そこで、本発明は、特定の色に関して色再現誤差の補正精度を向上させることができ、しかもその精度向上を容易かつ迅速に図ることのできる画像処理装置、画像処理プログラムおよび画像処理方法を提供することを目的とする。
【課題を解決するための手段】
【０００８】
本発明は、上記目的を達成するために案出された画像処理装置で、複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成手段と、前記ターゲットデバイスが出力するカラー画像と前記出力デバイスが出力するカラー画像との間における色再現誤差の修正対象となる色を注目色として指定するための注目色指定手段と、前記注目色指定手段によって指定された注目色についてデバイスに依存しない色空間へ変換したデータ値と、当該注目色について前記プロファイル作成手段が作成した色変換プロファイルを用いた色変換を経た後にデバイスに依存しない色空間へ変換したデータ値との差分情報を算出する差分情報算出手段と、前記差分情報算出手段が算出した差分情報に基づいて前記ターゲットデバイスにカラーチャートを出力させて得られた測色値を補正し、当該補正後の測色値により前記プロファイル作成手段に色変換プロファイルを再作成させる補正手段とを備えることを特徴とする。
【０００９】
また、本発明は、上記目的を達成するために案出された画像処理プログラムで、コンピュータを、複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成手段と、前記ターゲットデバイスが出力するカラー画像と前記出力デバイスが出力するカラー画像との間における色再現誤差の修正対象となる色を注目色として指定するための注目色指定手段と、前記注目色指定手段によって指定された注目色についてデバイスに依存しない色空間へ変換したデータ値と、当該注目色について前記プロファイル作成手段が作成した色変換プロファイルを用いた色変換を経た後にデバイスに依存しない色空間へ変換したデータ値との差分情報を算出する差分情報算出手段と、前記差分情報算出手段が算出した差分情報に基づいて前記ターゲットデバイスにカラーチャートを出力させて得られた測色値を補正し、当該補正後の測色値により前記プロファイル作成手段に色変換プロファイルを再作成させる補正手段として機能させることを特徴とする。
【００１０】
また、本発明は、上記目的を達成するために案出された画像処理方法で、複数のカラーパッチで構成されるカラーチャートをターゲットデバイスに出力させて得られる測色値と、前記ターゲットデバイスとは別の出力デバイスにて複数のカラーパッチで構成されるカラーチャートを出力させて得られる測色値とを基に、前記ターゲットデバイスに依存する色データを前記出力デバイスに依存する色データに変換するための色変換プロファイルを作成するプロファイル作成ステップと、前記ターゲットデバイスが出力するカラー画像と前記出力デバイスが出力するカラー画像との間における色再現誤差の修正対象となる色を注目色として指定する注目色指定ステップと、前記注目色指定ステップで指定された注目色についてデバイスに依存しない色空間へ変換したデータ値と、当該注目色について前記プロファイル作成ステップで作成した色変換プロファイルを用いた色変換を経た後にデバイスに依存しない色空間へ変換したデータ値との差分情報を算出する差分情報算出ステップと、前記差分情報算出ステップで算出した差分情報に基づいて前記ターゲットデバイスにカラーチャートを出力させて得られた測色値を補正し、当該補正後の測色値により前記プロファイル作成ステップで作成した色変換プロファイルの再作成を行わせる補正ステップとを備えることを特徴とする。
【００１１】
上記構成の画像処理装置および画像処理プログラム並びに上記手順の画像処理方法によれば、注目色の指定があると、その注目色について色変換プロファイルを用いた色変換の前後に対応するデバイス非依存の色空間データ値の差分情報を算出し、その差分情報に基づく補正を経た後に、その補正結果を用いた色変換プロファイルの再作成を行う。したがって、例えばユーザが注目色を指定するだけで、特別な補正技術を必要とせずに、その注目色についてターゲットデバイスで出力させるターゲットサンプルと出力デバイスで出力される校正サンプルとの間の色再現誤差を補正することができる。つまり、注目色について色再現誤差の補正精度が向上することになる。しかも、ターゲットデバイスでのカラーチャートの出力結果に対する測色値と出力デバイスでのカラーチャートの出力結果に対する測色値とを基に色変換プロファイルを作成するという、プロファイル作成の仕組みを従来から変えることなく、ある特定の注目色について色再現誤差の改善を図ることが可能となる。
【発明の効果】
【００１２】
以上のように、本発明によれば、ユーザが指定する任意の注目色に対して、出力デバイスによる色校正の色再現精度を向上させることができるので、そのユーザの所望する色再現を容易に実現可能とする。しかも、そのために熟練を要する繁雑な作業を要することもなく、また従来の仕組みを利用して余分なコスト発生を抑制することもできる。つまり、本発明によれば、特定の色に関して色再現誤差の補正精度を向上させることができ、しかもその精度向上を容易かつ迅速に図ることができるのである。
【発明を実施するための最良の形態】
【００１３】
以下、図面に基づき本発明に係る画像処理装置、画像処理プログラムおよび画像処理方法について説明する。
【００１４】
先ず、画像処理装置の概略構成について、カラープルーフシステムに適用した場合を例に挙げて説明する。カラープルーフシステムは、ターゲットデバイスである印刷本機によって印刷物を作成する前工程で、出力デバイスである簡易型のカラープリンタを用いてターゲットデバイスでの印刷色をシミュレートした校正刷りを出力し、これにより色校正を実施するものである。
【００１５】
図１は、本発明に係る画像処理装置の概略構成例を示す機能ブロック図である。図例のように、ここで説明する画像処理装置は、データ取得部１と、色変換プロファイル作成部２と、画像入力部３と、色変換部４と、画像出力部５と、注目色指定部６と、差分情報算出部７と、補正処理部８と、を備えて構成されている。
【００１６】
データ取得部１は、色変換プロファイルを作成するのに必要なデータを取得するものである。「色変換プロファイル」とは、出力デバイスでの印刷色シミュレートを実現可能にすべく、ターゲットデバイスに依存する色データであるＣＭＹＫデータを出力デバイスに依存する色データであるＣＭＹＫデータに変換するためのものである。この色変換プロファイルの作成に必要なデータは、色変換プロファイル作成部２での色変換プロファイルの作成手法によって決定されるものであるが、その一例として、複数のカラーパッチで構成されるカラーチャートについてターゲットデバイスで出力した結果を測色することで得られた測色データと、それに対応するＣＭＹＫデータとの組み合わせ、および、出力デバイスで出力したカラーチャートの測色データと、それに対応するＣＭＹＫデータとの組み合わせが挙げられる。このターゲットデバイスにおけるカラーチャートと出力デバイスにおけるカラーチャートとは、例えば一方が１０００パッチに対して他方が９００パッチといったようにそれぞれが互いに異なるものであっても、あるいはそれぞれが同一のものであっても構わない。
【００１７】
色変換プロファイル作成部２は、データ取得部１で得られたデータを基に、ターゲットデバイスに依存した色データを出力デバイスに依存した色データへ変換する色変換プロファイルを作成するものである。色変換プロファイルの作成手法としては、例えばターゲットデバイスに関する色データ（測色データとＣＭＹＫデータとの組み合わせ）および出力デバイスに関する色データ（測色データとＣＭＹＫデータとの組み合わせ）のそれぞれについて、デバイス非依存の色空間データ（例えばＬ＊ａ＊ｂ＊データ）への変換を経た後に、必要に応じてカラーマッチングを行って、それぞれの間の差分を抽出し、その差分を解消するような色変換プロファイルを作成することが考えられる。ただし、色変換プロファイルの作成は、このような手法に限定されることなく、他の公知技術を利用して行うようにしても構わない。
【００１８】
画像入力部３は、色校正の対象とするカラー画像、すなわち校正刷りによって出力すべき画像データを入力するためのものである。なお、入力手法は、特に限定されるものではなく、通信回線を介したデータ通信を利用したり、記憶媒体からのデータ読出を利用したり、あるいはユーザ操作によりデータ入力がされるものであってもよい。
【００１９】
色変換部４は、色変換プロファイル作成部２によって作成された色変換プロファイルを用いて、画像入力部３によって入力されたカラー画像の色データを、ターゲットデバイスに依存した色から出力デバイスに依存した色へ変換するものである。
【００２０】
画像出力部５は、色変換部４によって色変換されたカラー画像の色データ、すなわち出力デバイスに依存した色データを、出力デバイスに印刷出力させるものである。
【００２１】
注目色指定部６は、ターゲットデバイスが出力するカラー画像と出力デバイスが出力するカラー画像との間における色再現誤差の修正対象となる色を、注目色として指定するためのものである。注目色の指定は、画像出力部５によって出力されたカラー画像（校正サンプル）をターゲットデバイスで出力されたカラー画像（ターゲットサンプル）と比較観察し、色再現における誤差が気になる色または領域をユーザが選ぶことで行えばよい。また、その指定は、カラー画像をディスプレイ等で表示出力し、その表示されたカラー画像上で注目色となる色の画素または領域をポインティングデバイスやマウスポインタ等を用いて特定することで行えばよい。また、誤差が気になる色または領域に対する測色を行い、その測色結果をキーボードや通信線等から入力することで、注目色を特定することも考えられる。なお、例えば領域が指定されたときのように、注目色として特定された画素または領域に複数の色が含まれる場合には、その複数の色の平均値、中央値または最頻値のいずれかを注目色として用いればよい。
【００２２】
差分情報算出部７は、注目色指定部６によって指定された注目色についてデバイスに依存しない色空間（例えばＬ＊ａ＊ｂ＊色空間）上へ変換したデータ値と、その注目色について色変換プロファイル作成部２が作成した色変換プロファイルを用いた色変換を経た後にデバイスに依存しない色空間（例えばＬ＊ａ＊ｂ＊色空間）上へ変換したデータ値との差分情報を算出するものである。デバイス非依存の色空間上への変換は、例えば、予め設定されている色変換テーブルまたは色変換演算式を用いて行えばよい。また、ニューラルネットワークを利用した色予測モデルを用いることもできる。さらには、注目色を含むパッチをデバイス出力し、その出力結果を測色することによって、デバイス非依存の色空間上への変換結果を得ることもできる。また、必ずしも注目色そのものについての変換ではなく、その近似色についての変換を用いることも考えられる。すなわち、例えば注目色そのものについての変換が困難である場合には、その注目色に近似する色をターゲットデバイスにおけるカラーチャートの中から選択し、その選択した近似色に対応する変換結果を注目色に関する変換結果とし、このような近似変換によってデバイス非依存の色空間上への変換結果を容易に得ることも考えられる。
【００２３】
補正処理部８は、ターゲットデバイスにカラーチャートを出力させて得られた測色値で、データ取得部１で取得済みのものに対して、差分情報算出部７が算出した差分情報を反映させるものである。すなわち、差分情報算出部７が算出した差分情報に基づいて、ターゲットデバイスにカラーチャートを出力させて得られた測色値を補正し、その補正後の測色値によりプロファイル作成手段に色変換プロファイルを再作成させるものである。なお、測色値の補正を行う際には、詳細を後述するように、差分情報を構成する成分別に異なる重み付けを行ったり、注目色からの色空間上での距離に応じて当該補正を行う補正量を可変させたり、あるいは補正の対象を注目色を含む色空間上での所定範囲に限定することが考えられる。
【００２４】
これらの各部１〜８は、画像処理装置におけるコンピュータとしての機能が、所定プログラムを実行することによって実現されるものである。その場合に、当該所定プログラムは、画像処理装置へのインストールに先立ち、コンピュータ読み取り可能な記憶媒体に格納されて提供されるものであっても、または有線若しくは無線による通信手段を介して配信されるものであってもよい。つまり、これらの各部１〜８については、画像処理装置にインストール可能な画像処理プログラムによって実現することが可能である。
【００２５】
次に、以上のような構成の画像処理装置（画像処理プログラムによって実現される場合を含む）を用いて行う処理動作例、すなわち本発明に係る画像処理方法について説明する。
【００２６】
図２は、本発明に係る画像処理方法の概要を模式的に示す説明図である。図例のように、画像処理装置が処理動作を行う際の初期状態（ステップ１０１、以下ステップを「Ｓ」と略す）では、例えばターゲットデバイスおよび出力デバイスのそれぞれが備えるデータ（カラーチャートについてのＣＭＹＫデータとその出力結果を測色することで得られる測色データ等）を基にして、既に色変換プロファイル作成部２が色変換プロファイルを作成しているものとする。そして、画像入力部３に色校正の対象とするカラー画像データが入力されると、そのカラー画像データに基づいてターゲットデバイスにターゲットサンプルを出力させるとともに、色変換部４による色変換プロファイルを用いた色変換を経た後、これを画像出力部５が出力デバイスに校正サンプルとして出力させる。
【００２７】
ターゲットサンプルおよび校正サンプルの出力後は、ユーザがこれらを比較観察して、色再現における誤差が気になる色または領域を選択する。そして、選択した色または領域について、注目色指定部６により注目色として指定する。注目色の指定は、例えば、画像入力部３に入力されたカラー画像データをディスプレイ等で表示出力し、その表示画面上で注目色となる色の画素または領域をユーザにポインティングデバイスやマウスポインタ等で特定させることで行うことが考えられる。あるいは、ターゲットサンプル上において、注目色となる色の画素または領域を、測色器等を用いて測色し、その測色結果をキーボードや通信線等で入力させるようにしてもよい。これらの手法で注目色を指定すれば、ユーザの所望する色が容易かつ的確に指定され得るようになる。なお、具体的には、グレーや肌色等を注目色として指定することが考えられる。
【００２８】
このようにして注目色が指定されると、差分情報算出部７は、その指定された注目色（複数色が含まれる場合には、その複数の色の平均値、中央値または最頻値のいずれか）について、差分情報の算出を行う（Ｓ１０２）。すなわち、差分情報算出部７は、注目色のＣＭＹＫデータ（以下「印刷ＣＭＹＫデータ」という）を、デバイス非依存の色空間データ（以下「印刷Ｌ＊ａ＊ｂ＊データ」という）に変換する。さらに、印刷ＣＭＹＫデータに対して、色変換プロファイル作成部２が作成した色変換プロファイルを用いた色変換を行った後に、その変換後のＣＭＹＫデータ（以下「プリンタＣＭＹＫデータ」という）を、デバイス非依存の色空間データ（以下「プリンタＬ＊ａ＊ｂ＊データ」という）に変換する。そして、印刷Ｌ＊ａ＊ｂ＊データとプリンタＬ＊ａ＊ｂ＊データとの間の差分情報（以下「ΔＬ＊ａ＊ｂ＊」という）を算出する。
【００２９】
このときの色変換（ＣＭＹＫ→Ｌ＊ａ＊ｂ＊）は、予め設定されている色変換テーブルまたは色変換演算式を用いて行ったり、ニューラルネットワークを利用した色予測モデルを用いて行うことが考えられる。また、印刷ＣＭＹＫデータおよびプリンタＣＭＹＫデータをそれぞれターゲットデバイスおよび出力デバイスで出力し、その出力結果を測色することによって、変換結果を得ることもできる。また、各デバイスで出力したカラーチャートについてのＣＭＹＫデータとその測色結果の組み合わせを利用することもできる。その場合、必ずしも注目色がカラーチャートにおけるいずれかの色と一致するとは限らないため、注目色に近似する色をカラーチャートの中から選択して用いたることが考えられる。あるいは、複数の近似する色に基づいて、公知の予測技術を用いて、注目色に対応する色を予測演算して求めてもよい。
【００３０】
差分情報算出部７がΔＬ＊ａ＊ｂ＊を算出すると、続いて、補正処理部８は、その差分情報に基づいて、ターゲットデバイスにカラーチャートを出力させて得られた測色値を補正する（Ｓ１０３）。すなわち、補正処理部８は、ターゲットデバイスにおけるカラーチャートの測色データである元のＬ＊ａ＊ｂ＊データに対し、差分情報算出部７が差分情報として求めたΔＬ＊ａ＊ｂ＊の分だけ補正を加える。そして、その補正後のＬ＊ａ＊ｂ＊データ（以下「修正Ｌ＊ａ＊ｂ＊」という）と元のＣＭＹＫデータと組み合わせ、これによりΔＬ＊ａ＊ｂ＊の分だけ補正された後のデータ（以下「修正後印刷データ」という）を得る。
【００３１】
このとき、補正処理部８は、修正Ｌ＊ａ＊ｂ＊を得るための補正を、以下に述べるようにして行う。図３〜５は、補正処理の概要を例示する説明図である。
【００３２】
補正処理部８での補正としては、例えば図３に示すように、ターゲットデバイスにおける元のＬ＊ａ＊ｂ＊データに対し、ΔＬ＊ａ＊ｂ＊の分だけ加算または減算等の所定演算を行って、色域全体が差分情報分だけ移動するように補正をすることが考えられる。
【００３３】
また、例えば図４に示すように、Ｌ＊ａ＊ｂ＊各軸において、ターゲットデバイスの注目色に対応するＬ＊ａ＊ｂ＊値について差分情報として求めたΔＬ＊ａ＊ｂ＊を反映させ、その注目色に対応するＬ＊ａ＊ｂ＊値から遠ざかるにつれてΔＬ＊ａ＊ｂ＊の分よりも補正量を少なくすることも考えられる。つまり、Ｌ＊ａ＊ｂ＊値の補正を行うのにあたり、注目色からのＬ＊ａ＊ｂ＊色空間上での距離に応じて、その補正を行う補正量を可変させるようにする。これにより、注目色と他の色との関係において、注目色に対する補正が不自然なものとなるのを回避しつつ、その補正が他の色に過大な影響を及ぼしてしまうのを抑制することができる。
【００３４】
さらには、例えば図５に示すように、ターゲットデバイスの注目色に対応するＬ＊ａ＊ｂ＊値と、出力デバイスに依存する色空間上に色変換された注目色と対応するＬ＊ａ＊ｂ＊値とについて、これらを含むような部分空間を色調整部分空間として設定し、その色調整部分空間の中だけを選択的に色調整することも考えられる。つまり、Ｌ＊ａ＊ｂ＊値の補正を行うのにあたり、その補正の対象を、注目色を含む色空間上での所定範囲（色調整部分空間）に限定する。これによっても、注目色と他の色との関係において、注目色に対する補正が不自然なものとなるのを回避しつつ、その補正が他の色に過大な影響を及ぼしてしまうのを抑制することができる。なお、この場合の詳細な補正手法については、公知技術を利用すればよいため（例えば、特開２００４−１１２６９４号公報参照）、ここではその説明を省略する。
【００３５】
さらにまた、図３〜５に示したいずれの場合においても、補正処理部８は、Ｌ＊ａ＊ｂ＊値の補正を行うのにあたり、差分情報算出部７が算出したΔＬ＊ａ＊ｂ＊に対し、そのΔＬ＊ａ＊ｂ＊を構成するＬ＊成分、ａ＊成分、ｂ＊成分の別に、それぞれ異なる重み付けを行い、その重み付け後のΔＬ＊ａ＊ｂ＊に基づいて補正を行うようにしてもよい。つまり、重みをかけた差分情報（ΔＬ＊ａ＊ｂ＊）を用いてＬ＊ａ＊ｂ＊値の補正を行う。具体的には、例えば、注目色としてグレーが指定された場合には、一般に明るさよりも色味が重要視されるので、ａ＊成分およびｂ＊成分が重視されるような重み付けを行う。一方、注目色として肌色が指定された場合には、Ｌ＊成分が重視されるような重み付けを行うといったことが考えられ、このような重み付けにより、注目色の特質に応じた補正処理ができるようになる。
【００３６】
このようにして、修正後印刷データを得た後は、図２に示すように、その修正後印刷データにより色変換プロファイル作成部２が色変換プロファイルの再作成を行う（Ｓ１０４）。これにより、注目色に対して色再現精度が向上した色変換プロファイルを得ることができるのである。
【００３７】
これらの一連の処理中で、ユーザがしなければならないことは、注目色を指定するだけである。したがって、特別な技術を必要とせず簡単に注目色についての色再現精度を向上させることができる。
【００３８】
以上に説明したように、本実施形態における画像処理装置（画像処理プログラムによって実現される場合を含む）および画像処理方法によれば、ユーザが指定する任意の色情報に対して、その色の精度向上が得られるように修正をすることができるため、ユーザの希望する色再現を容易に実現することが可能となる。しかも、既存のプロファイル作成の仕組みを変えることなく、ある特定の注目色に対してユーザの意図した通りに色再現誤差の改善を図ることが可能となるため、プロファイルを再作成するための余分なコスト発生を抑制することもできる。つまり、本実施形態における画像処理装置、画像処理プログラムおよび画像処理方法によれば、特定の色に関して色再現誤差の補正精度を向上させることができ、しかもその精度向上を容易かつ迅速に図ることができるのである。
【００３９】
なお、本実施形態では、本発明の好適な実施具体例について説明したが、本発明はその内容に限定されるものではなく、その要旨を逸脱しない範囲で適宜変更することが可能である。例えば、色データは、必ずしもＣＭＹＫデータやＬ＊ａ＊ｂ＊データ等である必要はない。また、色の測色、色空間の変換、色データの補正等についても、本実施形態における内容に限定されることはなく、公知技術を用いて適宜変更しても構わない。これらのことから、本発明は、色変換プロファイルを利用した色変換を行うシステムであれば、カラープルーフシステム以外にも同様に適用することが考えられる。
【図面の簡単な説明】
【００４０】
【図１】本発明に係る画像処理装置の概略構成例を示す機能ブロック図である。
【図２】本発明に係る画像処理方法の概要を模式的に示す説明図である。
【図３】補正処理の概要を例示する説明図（その１）である。
【図４】補正処理の概要を例示する説明図（その２）である。
【図５】補正処理の概要を例示する説明図（その３）である。
【符号の説明】
【００４１】
１…データ取得部、２…色変換プロファイル作成部、３…画像入力部、４…色変換部、５…画像出力部、６…注目色指定部、７…差分情報算出部、８…補正処理部
【図１】
2007221182.tif 000003
【図２】
2007221182.tif 000004
【図３】
2007221182.tif 000005
【図４】
2007221182.tif 000006
【図５】
2007221182.tif 000007